(57)【要約】【課題】切替コックの開通状態が変更されることを防止する流路接続装置を提供する。【解決手段】流路接続装置３０は、腔内の流体が流れる第１の流路を有するチューブ３１と、チューブ３１が取り付けられて第１の流路と連通する第２の流路である軸方向貫通孔３２ｈを有し、先端側に向かうにつれて先細りとなるテーパー形状に形成され、ポートを構成する雌ルアーコネクタである排気チューブ連結部２３の雌ルアー部２３ｒに設けられて腔内の流体が通過する排気孔２１に連通するテーパー孔２３ｈの内面壁に対して気密に当接可能な雄ルアー部３４及び雄ルアー部３４の先端面よりも前方に突出して設けられ、外周面が回転コック２５の貫通孔２５ｈに対して平行な面を有する、外径が排気チューブ連結部２３内の流路の内径よりも小さく形成されている突状部材３５を設けた雄ルアーコネクタ３２と、を具備する。【選択図】図４
2015136596.tif 000002
【特許請求の範囲】
【請求項１】
体腔内から体腔外へ排出される流体が流れる第１の流路を有するチューブと、
前記チューブが取り付けられて前記第１の流路と連通して体腔内から体腔外へ流体を排出する第２の流路を有し、先端側に向かうにつれて先細りとなるテーパー形状に形成され、ポートを構成する雌ルアーコネクタの雌ルアー部に設けられて体腔内から体腔外へ排出される流体が通過するポート孔に連通するテーパー孔の内面壁に対して気密に当接可能な雄ルアー部及び前記雄ルアー部の先端面よりも前方に突出して設けられ、外周面が排気孔と成り得る貫通孔に対して平行な面を有する、外径が該雌ルアーコネクタ内の流路の内径よりも小さく形成されている突状部材を設けた雄ルアーコネクタと、
を具備することを特徴とする流路接続装置。
【請求項２】
腔内の流体が流れる第１の流路を有する管部と、
前記チューブが取り付けられて前記第１の流路と連通する第２の流路を有し、先端側に向かうにつれて先細りとなるテーパー形状に形成され、ポートを構成する雌ルアーコネクタの雌ルアー部に設けられて腔内の流体が通過するポート孔に連通するテーパー孔の内面壁に対して気密に当接可能な雄ルアー部及び前記雄ルアー部の先端面よりも前方に突出して設けられ、外周面が排気孔と成り得る貫通孔に対して平行な面を有する、外径が該雌ルアーコネクタ内の流路の内径よりも小さく形成されている突状部材を設けた雄ルアーコネクタと、
を具備することを特徴とする流路接続装置。
【請求項３】
前記雌ルアーコネクタは、前記貫通孔を開通状態と閉塞状態とに切り替え可能にする回転コックを有し、
前記突状部材は、前記雌ルアーコネクタの前記回転コックに形成された貫通孔の内部に延伸する長さを有することを特徴とする請求項１又は請求項２に記載の流路接続装置
【請求項４】
前記雄ルアーコネクタを前記雌ルアーコネクタに連結することによって、前記雌ルアーコネクタの回転コックの貫通孔を常時開通状態に保持して、前記排気孔と、前記第２の流路及び前記第１の流路とが連通することを特徴とする請求項３に記載の流路接続装置
【発明の詳細な説明】
【技術分野】
【０００１】
本発明は、トロッカーに設けられたコックを有するポートに接続される流路接続装置に関する。
【背景技術】
【０００２】
患者への侵襲を小さくする目的で、腹腔鏡下外科手術が行われている。腹腔鏡下外科手術において、開腹することなく治療処置を行うため患者の腹部には、観察用の内視鏡を体腔内に導くトロッカーと、処置具を処置部位に導くトロッカーと、が穿刺される。
【０００３】
また、腹腔鏡下外科手術においては、気腹装置（送気装置ともいう）、高周波焼灼装置（電気メス装置とも記載する）が用いられる。  
気腹装置は、内視鏡の視野及び処置具を操作する領域を確保する目的で、炭酸ガス等の気腹ガスを腹腔内に供給する装置である。電気メス装置は、腫瘍等を切除するための装置である。
【０００４】
電気メスによる切除を開始すると、体組織の変性が進むと同時に煙やミストが発生して術者の観察視野を遮るおそれがある。このため、気腹装置、電気メス装置に加えて、煙等を体外に排出する排煙装置も用いられる。
【０００５】
近年においては、例えば大腸内等、管腔内の処置を行う際、経肛門的ポートを肛門に挿入配置して経肛門的内視鏡下手術が行われている。そして、経肛門的内視鏡下手術においても、気腹装置、電気メス装置、及び排煙装置が用いられる。
【０００６】
このため、経肛門的ポートには、内視鏡を腸内に導くための内視鏡用ポート、処置具を腸内に導くための処置具用ポート、気腹ガスを供給するための送気用ポート、煙を排出する排煙用ポート等が設けられる。
【０００７】
そして、腹腔鏡下外科手術、或いは、経肛門的内視鏡下手術においては、腹腔或いは大腸等の腔内の視野を維持しつつ処置を行う目的で、一定のガスを腔内に供給すると共に、腔内のガスを外部に同量だけ放出し続ける持続還流法が知られている。
【０００８】
持続還流法においては、放出側のトロッカーコックが閉塞されると、腔内に供給され続けるガスによって腔内圧力が上昇する。このため、特許文献１には、腔内の圧力を測定しつつ供給するガスの量を制御する、電気手術装置が提案されている。
【０００９】
なお、特許文献２にはダックビルタイプの逆止弁を有するトロッカーと、ロックアダプタに接続されたときに、逆止弁を押し開いてバル−ン内部に連通し得る長さを有する連通パイプを設けたコネクタ部とが示されている。これによりロックアダプタを接続したとき逆止弁の逆止効果を解除してバルーン内に充填された流体の流出が可能になり、ロックアダプタを外したときには逆止弁を閉塞するトロッカーが提案されている。
【００１０】
また、特許文献３には、複数の内視鏡側接続部の少なくとも１つは、外部機器側接続部と嵌合するテーパー形状であるので、複数の流体管路をー度に接続可能な内視鏡の流体管路接続構造及び内視鏡システムにおいてが示されている。  
【先行技術文献】
【特許文献】
【００１１】
【特許文献１】特開２００６−２８８５５３号公報
【特許文献２】特開平８−１６８４６５号公報
【特許文献３】特開２０１３−１０６７１１号公報
【発明の概要】
【発明が解決しようとする課題】
【００１２】
しかしながら、排煙ポートの切替コックの開通状態が外的要因で変更されてしまった場合、腔内のガスを外部に同量だけ放出し続けることが困難になって腔内圧力が上昇する。特許文献１に記載の電気手術装置のように腔内の圧力を測定しつつ送気を行い、圧力が上昇したときには送気を停める制御方法も考えられるが、圧力を検出してから送気を停めるまでの時間遅れ、或いは、装置が送気を停めた直後にもチューブ内には高圧のガスが残っているため、その余剰ガスによる送気が行われてしまうなどの影響で、腔内圧力はやはり上昇してしまう。また、特許文献２に記載のトロッカーとルアロックコネクタでは、切替えコックが外的要因で変更されてしまうおそれはないが、何等かの要因でロックコネクタがはずれた場合に逆止弁が自動的に閉じてしまうことにより閉止状態になり、やはり腔内圧力が上昇してしまう。また、腔内の圧力を測定するポートの切替コックの開通状態が外的要因で変更されてしまった場合、腔内の圧力測定を精度よく行うことが難しくなる。
【００１３】
本発明は上記事情に鑑みてなされたものであり、切替コックの開通状態が変更されることを防止する流路接続装置を提供することを目的にしている。
【課題を解決するための手段】
【００１４】
本発明のー態様の流路接続装置は、体腔内から体腔外へ排出される流体が流れる第１の流路を有するチューブと、前記チューブが取り付けられて前記第１の流路と連通して体腔内から体腔外へ流体を排出する第２の流路を有し、先端側に向かうにつれて先細りとなるテーパー形状に形成され、ポートを構成する雌ルアーコネクタの雌ルアー部に設けられて体腔内から体腔外へ排出される流体が通過するポート孔に連通するテーパー孔の内面壁に対して気密に当接可能な雄ルアー部及び前記雄ルアー部の先端面よりも前方に突出して設けられ、外周面が排気孔と成り得る貫通孔に対して平行な面を有する、外径が該雌ルアーコネクタ内の流路の内径よりも小さく形成されている突状部材を設けた雄ルアーコネクタと、を具備している。
【発明の効果】
【００１５】
本発明によれば、切替コックの開通状態が変更されることを防止する流路接続装置を実現できる。
【図面の簡単な説明】
【００１６】
【図１】図１−図７は本発明の第１実施形態に係り、経肛門的内視鏡下手術装置を説明する図
【図２】排煙用ポートを設けた経肛門的ポートを説明する図
【図３】排煙用ポートの構成及び作用を説明する図
【図４】流路接続装置を説明する断面図を含む説明図
【図５】突状部材の他の構成例を説明する図
【図６Ａ】延伸量調整部材を設けた流路接続装置の他の構成例を示す外観図
【図６Ｂ】図６ＡのＹ６Ｂ−Ｙ６Ｂ線断面図
【図６Ｃ】流路接続装置に設けられた突状部材本体の長さ調整を説明する図
【図７】図６Ａ−６Ｃに示した流路接続装置の作用を説明する図
【図８】図８−図１２は本発明の第２実施形態に係り、腹腔鏡下外科手術装置を説明する図
【図９】気腹装置を説明するブロック図
【図１０】圧力測定ポートの構成および作用を主に説明する図
【図１１】圧力検出装置の構成および作用を説明する図
【図１２】図８−図１２は本発明の第２の実施形態に係り、腹腔鏡下外科手術装置を説明する図
【図１３】気腹装置を説明する図
【図１４】電気メスを説明する図
【図１５】送気チューブの構成例を説明する図
【図１６】送気チューブの他の構成例を説明する図
【図１７Ａ】送気チューブの別の構成例を説明する図
【図１７Ｂ】複数のチューブを連結して構成される送気チューブを説明する図
【発明を実施するための形態】
【００１７】
以下、図面を参照して本発明の実施の形態を説明する。  
図１−図７を参照して本発明の第１の実施形態を説明する。  
図１に示す符号５０は患者である。患者５０は、図示されていない手術台に横たわっている。
経肛門的内視鏡下手術装置１は、内視鏡２と、気腹装置３と、経肛門的ポート１０と、によって主に構成されている。経肛門的ポート１０は、患者５０の肛門に装着される。
【００１８】
図１、図２に示すように経肛門的ポート１０は、ポート本体１１と、肛門挿入部１２とを主に設けて構成されている。肛門挿入部１２は、肛門を介して大腸内に挿入される。
【００１９】
ポート本体１１の本体表面１３からは、内視鏡用ポート１４、例えば２つの処置具用ポート１５、１６が突出して設けられている。一方、ポート本体１１の本体側面１７からは送気用ポート１８、排煙用ポート２０が突出して設けられている。
【００２０】
内視鏡用ポート１４は、内視鏡導入孔１４ｈを有し、内視鏡導入孔１４ｈを介して図１の内視鏡２の挿入部２ａが腸内に導かれる。  
第１処置用ポート１５は、第１処置具導入孔１５ｈを有し、第１処置具導入孔１５ｈを介して例えば電気メスが腸内に導入される。  
第２処置具用ポート１６は、第２処置具導入孔１６ｈを有し、第２処置具導入孔１６ｈを介して例えば把持鉗子が腸内に導入される。
【００２１】
送気用ポート１８は、気腹ガスを腸内に供給する際の流路となる送気孔（不図示）及び送気チューブ連結部（不図示）を有し、図１に示す気腹装置３から延出される送気チューブ４のー端部が送気チューブ連結部に接続される。
【００２２】
図２及び図３の（Ａ）に示すように排煙用ポート２０は、ポート孔として排気孔２１を有すると共に、先端側から順に回転切替部２２及び排気チューブ連結部２３を有する。  
排気孔２１は、排煙用ポート２０の長手軸に沿って設けられたストレート形状の貫通孔である。排気孔２１は、電気メスによる処置が行われているとき腸内（体腔内ともいう）に充満する煙等の流体を外部（体腔外ともいう）に排出するための流路として構成されている。
【００２３】
排気チューブ連結部２３は雌ルアーコネクタであって、フランジ２３ｆ、雌ルアー部２３ｒを有する。雌ルアー部２３ｒには、先細テーパー形状の内壁面を有するテーパー孔２３ｈが設けられている。テーパー孔２３ｈは、開口側から先端に向かうにしたがって内径が連続的に細径になるように形成されている。
【００２４】
回転切替部２２は、球状空間部２４内に回転自在に配置される回転コック２５と、回転コック２５を回転操作するためのコックレバー２６と、を設けて構成されている。回転コック２５には、排気孔２１と成り得る一つの貫通孔２５ｈが形成されている。また、回転コック２５には、コックレバー２６の軸部（不図示）がー体に固設されている。  
【００２５】
本実施形態において、図３の（Ａ）に示すようにコックレバー２６のレバー長手軸Ｌａを排煙用ポート２０のポート長手軸Ｐａに対して平行な位置関係にすると、貫通孔２５ｈを介して排気チューブ連結部２３のテーパー孔２３ｈが連通されて排気孔２１が開通状態になる。すなわち、貫通孔２５ｈは、ポート孔とテーパー孔２３ｈとを繋ぐ、連通孔である。
【００２６】
一方、図３の（Ｂ）に示すようにコックレバー２６のレバー長手軸Ｌａをポート長手軸Ｐａに対して直交する位置関係に切り替えることによって、回転コック２５によって排気孔２１が塞がれた排気孔閉塞状態になる。
【００２７】
つまり、排煙用ポート２０においては、コックレバー２６を操作して回転コック２５に設けた貫通孔２５ｈの配置位置を変化させて、排気孔を開通状態と閉塞状態とを選択的に得られるように構成されている。
【００２８】
図４に示すように破線に示す排煙用ポート２０の排気チューブ連結部２３には流路接続装置３０が取り付け取り外し自在に構成されている。  
流路接続装置３０は、図１、図２及び図４に示すように管部であるチューブ３１と雄ルアーコネクタ３２とを設けて主に構成されている。符号３９はポート連結部である。
【００２９】
チューブ３１は、排煙用チューブであり、大腸内で発生した煙等の流体が体腔内から体腔外へ流れる第１の流路を有するチューブ体である。排煙用チューブ３１には、フィルター３１ｆが設けられている。
【００３０】
雄ルアーコネクタ３２は、軸方向貫通孔３２ｈが設けられた剛性部材であって、基端側から先端側に向かってチューブ取付部３３と、雄ルアー部３４と、突状部材３５と、を設けて構成されている。
【００３１】
軸方向貫通孔３２ｈは、大腸内で発生した煙等の流体が流れる第２の流路である。  
チューブ取付部３３は、チューブ３１の端部が取り付け取り外し自在な取付部であって、チューブ端部が取り付けられるタケノコ形状部３３ｔをフランジ３３ｆのー方側に有する。
【００３２】
雄ルアー部３４は、先細テーパー形状の外壁面を有するテーパー部３４ｔを有する。テーパー部３４ｔは、基端から先端に向かって外径が連続的に細径になるように形成され、排煙用ポート２０を構成する排気チューブ連結部２３の雌ルアー部２３ｒに設けられたテーパー孔２３ｈの内壁面に気密に当接可能に形作られている。
【００３３】
符号３２ａは、管本体である。管本体３２ａは、雄ルアー部３４の大径側基端面とフランジ３３ｆの先端面との間に設けられたストレート形状の管体である。管本体３２ａには、ポート連結部３９が回動自在に配置されている。管本体３２ａの外径は、フランジ３３ｆの外径及びテーパー部３４ｔの基端側外径より予め小径に設定されている。
【００３４】
突状部材３５は、テーパー部３４ｔの先端面から前方に突出したストレート形状の管部である。突状部材３５の外径は、排煙用ポート２０を構成する回転切替部２２に設けられた回転コック２５の貫通孔２５ｈの内径より予め小径に設定されている。また、突状部材３５の長さは、回転コック２５の貫通孔２５ｈ内に配置されるようにテーパー部３４ｔの先端面から延伸されている。
【００３５】
ポート連結部３９は、筒状部材であって、フランジ２３ｆに係合する係合部３９ａと、管本体３２ａに配設される摺動孔３９ｈとが設けられている。
【００３６】
上述のように構成されている流路接続装置３０の作用を説明する。  
流路接続装置３０を排煙用ポート２０に接続するにあたって、まず、作業者は、回転切替部２２のコックレバー２６を回転操作して排気孔２１を開通状態にする。
【００３７】
次に、作業者は、流路接続装置３０の突状部材３５の先端部を排煙用ポート２０の雌ルアー部２３ｒに設けられたテーパー孔２３ｈの開口に対して位置合わせする。
【００３８】
その後、作業者は、突状部材３５の先端部を、テーパー孔２３ｈを介して排煙用ポート２０に設けられた回転コック２５の貫通孔２５ｈに向けて挿入していく。  
すると、ポート連結部３９に設けられた係合部３９ａの先端面が排気チューブ連結部２３のフランジ２３ｆの基端面に当接する。
【００３９】
ここで、作業者は、ポート連結部３９を予め定められた方向に回転する。すると、ポート連結部３９の回転に伴って、係合部３９ａがフランジ２３ｆに係合しつつ先端側に移動していく。そして、ポート連結部３９の凹部底面が雄ルアー部３４の大径側基端面に当接して雄ルアーコネクタ３２が移動を開始する。
【００４０】
つまり、ポート連結部３９の回転に伴って、突状部材３５の先端部が貫通孔２５ｈ内に侵入すると共に、テーパー部３４ｔがテーパー孔２３ｈ内に侵入していく。そして、ポート連結部３９が固定状態になることによって、流路接続装置３０が排煙用ポート２０に接続された状態になる。このとき、突状部材３５が貫通孔２５ｈ内に配置され、テーパー部３４ｔがテーパー孔２３ｈの内壁面に気密に当接している。
【００４１】
このように、開通状態において、流路接続装置３０の雄ルアーコネクタ３２に設けられた突状部材３５が排煙用ポート２０に回転自在に配置されている回転コック２５の貫通孔２５ｈ内に配置される。したがって、排煙中において、医師或いは看護士等が誤ってコックレバー２
６に触れた場合に突状部材３５から抑止力が発生して回転コック２５が回転されることを防止して排気孔２１の開通状態を保持することができる。この結果、開通状態の排気孔２１が外的要因によって閉塞状態に変更されることなく、腔内のガスの放出が継続される。
【００４２】
なお、上述した実施形態において、突状部材３５をテーパー部３４ｔの先端面から前方に突出するストレート形状の管部としている。しかし、突状部材３５は、ストレート形状の管部に限定されるものでは無く、例えば、図５の（Ａ）に示す突状部材３５Ａ、図５の（Ｂ）に示す突状部材３５Ｂであってもよい。
【００４３】
図５の（Ａ）に示す突状部材３５Ａは、テーパー部３４ｔの先端面から前方に突出する１つのストレート形状の突出ピン３５ｐ、或いは、実線及び破線に示す例えば３つの突出ピン３５ｐを設けて構成される。図５の（Ｂ）に示す突状部材３５Ｂは、テーパー部３４ｔの先端面から前方に突出するストレート形状のスプリング３５ｓを設けて構成される。
【００４４】
また、本実施例において排煙ポート２０は、突状部材３５の長さは回転コック２５の貫通孔２５ｈ内に配置されるようにテーパー部３４ｔの先端面から延伸されるとしたが、必ずしも先端部が貫通孔２５ｈ内に配置される必要はない。その場合、突状部材３５の外径は、排気孔２１の内径より予め小径に設定し、突状部材３５の先端部は排気孔２１内に配置される。
【００４５】
図６Ａ及び図６Ｂを参照して流路接続装置の他の構成例を説明する。  
図６Ａ及び図６Ｂに示すように本実施形態の流路接続装置３０Ａは、チューブ３１と、ポート連結部３９と、突状部材突出長調整部（以下、突出長調整部と略記する）４０と、を設けて構成されている。
【００４６】
突出長調整部４０は、調整部本体４１と、移動型突状部材４２と、ロックネジ４３と、を設けて構成されている。ロックネジ４３は、円板形状であって、雌ねじ４３ｆを有する。雌ねじ４３ｆは、ロックネジ４３の中央に設けられている。
【００４７】
移動型突状部材４２は、突状部材本体４２ａと固定突起４２ｂとを設けて構成されている。突状部材本体４２ａは、ストレート形状で長手軸方向貫通孔を設けて構成されている。突状部材本体４２ａの外径は、回転コック２５の貫通孔２５ｈの内径より予め小径に設定され、長さは予め定めた長さに設定されている。
【００４８】
固定突起４２ｂは、ストレート形状で中実な部材である。固定突起４２ｂは、突状部材本体４２ａの側部から突出するように設けられている。突出する固定突起４２ｂの長手軸は、突状部材本体４２ａの長手軸に対して直交している。  
固定突起４２ｂの延伸端部は、雄ねじ部４２ｍである。雄ねじ部４２ｍにはロックネジ４３の雌ねじ４３ｆが螺合する。
【００４９】
調整部本体４１は、外形が直方体の箱状部材であって、雄ルアー部３４、チューブ取付部３３、及び長孔４４が設けられている。調整部本体４１には、直方体形状の箱内空間４１Ｓが設けられている。  
箱内空間４１Ｓ内には、上述した突状部材本体４２ａの予め定めた部位と固定突起４２ｂの予め定めた部位とが軸方向に対して摺動自在に配置される。
【００５０】
雄ルアー部３４は、調整部本体４１のー面である先端側面から突設している。雄ルアー部３４は、外部と箱内空間４１Ｓとを結ぶ第１の軸方向貫通孔３２ｈ１を有する。第１の軸方向貫通孔３２ｈ１内には固定突起４２ｂより先端側に位置する突状部材本体４２ａが摺動自在に配置される。
【００５１】
チューブ取付部３３は、調整部本体４１のー面に対向する他面である基端側面から突設している。チューブ取付部３３は、外部と箱内空間４１Ｓとを結ぶ第２の軸方向貫通孔３２ｈ２を有する。第２の軸方向貫通孔３２ｈ２の軸と第１の軸方向貫通孔３２ｈ１軸とは同軸である。第２の軸方向貫通孔３２ｈ２内には固定突起４２ｂより基端側に位置する突状部材本体４２ａが突没自在に配置される。
【００５２】
固定突起４２ｂに設けられた雄ねじ部４２ｍは、長孔４４内及び長孔４４の開口端から予め定めた長さ突出している。長孔４４は、調整部本体４１のー面及び他面と異なる面に軸方向に沿って細長に形成されている。
【００５３】
長孔４４の幅寸法は、雄ねじ部４２ｍの直径より予め定めた寸法大きく形成され、長さ寸法は、突状部材本体４２ａの雄ルアー部３４の先端面からの突出長を考慮して設定される。  
なお、符号４５は例えばスプリングワッシャであり、スプリングワッシャ４５は、長孔４４の開口側端面とロックネジ４３の裏面４３ｒとの間に配置される。また、長孔４４は、伸縮性に富む蛇腹状シール部材（不図示）によって塞がれている。  
その他の構成は上述した実施形態と同様であり、同部材には同符号を付して説明を省略する。
【００５４】
流路接続装置３０Ａによれば、ロックネジ４３による固定状態を解除することによって、移動型突状部材４２は、ロックネジ４３と共に図６Ａの矢印Ｙａ方向及び矢印Ｙｃ方向に移動可能になる。
【００５５】
具体的に、突状部材本体４２ａの先端面は、ロックネジ４３の矢印Ｙａ方向への移動に伴って矢印Ｙｂ方向に移動されて雄ルアー部３４の先端面から離間していく。そして、突状部材本体４２ａの先端面の突出量は、図６Ｃの（Ａ）に示すように固定突起４２ｂが長孔４４の先端側端部に当接することによって、雄ルアー部３４の先端面から最大の値Ｌｍａｘになる。
【００５６】
一方、突状部材本体４２ａの先端面は、ロックネジ４３の矢印Ｙｃ方向への移動に伴って矢印Ｙｄ方向に移動されて雄ルアー部３４の先端面に近づいていく。そして、突状部材本体４２ａの先端面の突出量は、図６Ｃの（Ｂ）に示すように固定突起４２ｂが長孔４４の基端側端部に当接することによって、雄ルアー部３４の先端面から最小のＬｍｉｎになる。
【００５７】
つまり、本実施形態の流路接続装置３０Ａにおいて、突状部材本体４２ａの先端面の突出量は、雄ルアー部３４の先端面から値Ｌｍａｘから値Ｌｍｉｎまでの間で調整可能である。
【００５８】
図７を参照して流路接続装置３０Ａの作用を説明する。  
図７の（Ａ）は、排煙用ポート２０Ａを設けた経肛門的ポート１０Ａであって、フランジ２３ｆの基端面から回転切替部２２を構成する回転コック２５の貫通孔２５ｈ内の予め定めた部位までの距離Ｌａが突出量Ｌに対応している。
【００５９】
また、図７の（Ｂ）は、排煙用ポート２０Ｂを設けた経肛門的ポート１０Ｂであって、フランジ２３ｆの基端面から回転コック２５の貫通孔２５ｈ内の予め定めた部位までの距離Ｌｂが突出量Ｌｍａｘに対応している。
【００６０】
さらに、図７の（Ｃ）は、排煙用ポート２０Ｃを設けた経肛門的ポート１０Ｃであって、フランジ２３ｆの基端面から回転コック２５の貫通孔２５ｈ内の予め定めた部位までの距離Ｌｃが突出量Ｌｍｉｎに対応している。
【００６１】
つまり、図７の（Ａ）に示されている排煙用ポート２０Ａに流路接続装置３０Ａを接続する際、例えば術者は、ロックネジ４３を移動操作して突状部材本体４２ａの雄ルアー部３４の先端面からの突出量をＬに設定する。  
この結果、流路接続装置３０Ａを排煙用ポート２０Ａに接続した状態において、突状部材本体４２ａが貫通孔２５ｈ内に配置されて、回転コック２５が排気孔閉塞状態に変更されることが確実に防止される。
【００６２】
また、図７の（Ｂ）に示されている排煙用ポート２０Ｂに流路接続装置３０Ａを接続する際には、突状部材本体４２ａの雄ルアー部３４の先端面からの突出量をＬｍａｘに設定する。この結果、流路接続装置３０Ａを排煙用ポート２０Ｂに接続した状態において、上述と同様に回転コック２５が排気孔閉塞状態に変更されることが確実に防止される。
【００６３】
さらに、図７の（Ｃ）に示されている排煙用ポート２０Ｃに流路接続装置３０Ａを接続する際には、突状部材本体４２ａの雄ルアー部３４の先端面からの突出量を距離Ｌｍｉｎに設定する。この結果、流路接続装置３０Ａを排煙用ポート２０Ｃに接続した状態において、上述と同様に回転コック２５が排気孔閉塞状態に変更されることが確実に防止される。
【００６４】
このように、流路接続装置３０Ａによれば、突出長調整部４０を設けたことによって、排煙ポートのフランジ２３ｆの基端面から回転コック２５の貫通孔２５ｈ内の所定部位までの距離に対応させて突状部材本体４２ａの突出量を適切に調整することができるので、回転コック２５が回転されて排気孔閉塞状態に変更されることを確実に防止しつつ、複数種類の排煙ポートへの接続固定が可能である。
【００６５】
図８−図１２を参照して本発明の第２の実施形態を説明する。  
図８に示すように腹腔鏡下外科手術装置１Ａは、内視鏡（不図示）と、気腹装置３Ａと、複数のポート１０Ｄ、１０Ｅ等と、によって構成されている。ポート１０Ｄ、１０Ｅは、患者５０に穿刺される。装着される。符号４は送気チューブである。患者５０は、図示されていない手術台に横たわっている。
【００６６】
第１のポートは、圧力測定ポート１０Ｄであり、第２のポートは送気ポート１０Ｅである。なお、第１のポート１０Ｄ及び第２のポート１０Ｅは、例えば、内視鏡、処置具等の医療器具を体内に導く医療器具導入用ポートを兼用する構成であってもよい。
【００６７】
図９に示すように気腹装置３Ａの内部には開閉弁３ａと、減圧弁３ｂと、圧力測定部３ｃと、制御部３ｄ等とが設けられている。減圧弁３ｂには高圧送気ガス用チューブのー端部が連結され、他端部は、例えば液化した二酸化炭素が充填されたガスボンベ３Ｇに連結されている。  
符号３Ｅは、電気コネクタであって、測定ケーブル６１が接続される。符号３Ｆは送気コネクタであって、送気チューブ４が接続される。
【００６８】
本実施形態において、ガスボンベ３Ｇ内に充填されている液状の二酸化炭素は、気化されて減圧弁３ｂを通過して予め定めた圧力に減圧され、送気チューブ４、送気ポート１０Ｅの送気孔（不図示）を通って患者５０の腹腔内に送り込まれる。
【００６９】
腹腔内の圧力は、圧力検出装置６０の圧力センサ（図１１の符号６７参照）によって検出される。圧力センサ６７の検出値は、測定ケーブル６１を介して圧力測定部３ｃに伝送される。圧力測定部３ｃによって得られた測定値は、制御部３ｄに出力される。  
そして、腹腔内に送り込まれる二酸化炭素送気ガスの流量は、腹腔内圧力を監視しつつ開閉弁３ａに電気的に接続された制御部３ｄによって制御される。
【００７０】
図８、図１０及び図１１を参照して圧力測定ポート１０Ｄの構成及び作用と、圧力検出装置６０の構成及び作用と、を説明する。
【００７１】
図１０の（Ａ）に示す圧力測定ポート１０Ｄには、圧力検出装置接続ポート２０Ｄが設けられている。圧力検出装置接続ポート２０Ｄは、図１０の（Ｂ）に示すようにポート孔として測定孔２１ｄと、回転切替部２２、及び圧力検出装置連結部２３Ｄを有する。  
本実施形態において、回転切替部２２の構成は、経肛門的ポート１０の排煙用ポート２０に設けられた回転切替部２２の構成と同様であるため同符号を付して説明を省略する。  
測定孔２１ｄは、ポート孔であって、圧力検出装置接続ポート２０Ｄの長手軸に沿って設けられたストレート形状の貫通孔である。測定孔２１ｄは、図１０に示すようにボート本体１０Ｄａの長手軸に沿って設けられた測定用細穴１０Ｄｈを介して腹腔内に連通する構成になっている。
【００７２】
圧力検出装置連結部２３Ｄは雌ルアーコネクタであって、経肛門的ポート１０の排煙用ポート２０に設けられた排気チューブ連結部２３と同様に、フランジ２３ｆ、雌ルアー部２３ｒを有し、先細テーパー形状の内壁面を有するテーパー孔２３ｈが設けられている。  
なお、圧力検出装置連結部２３Ｄにおいて、排気チューブ連結部２３と同様な部材については同符号を付して説明を省略する。
【００７３】
図８、図１０及び図１１に示すように圧力検出装置６０は、測定ケーブル６１と圧力検出装置接続部６２を設けて主に構成されている。
【００７４】
測定ケーブル６１内には信号線６１ａ、６１ｂが挿通しており、信号線６１ａ、６１ｂの先端は、圧力センサ６７に電気的に接続されている。信号線６１ａ、６１ｂの基端部は、気腹装置３Ａの電気コネクタ３Ｅを介して圧力測定部３ｃに電気的に接続されている。
【００７５】
圧力検出装置接続部６２は、流路接続装置であって、測定ロッド６３と、ポート連結部６４と、センサハウジング６５と、を設けて構成されている。符号６６は折れ止めである。折れ止め６６は、信号ケーブル６１を保護する。
【００７６】
センサハウジング６５にはセンサ配設空間６５Ｓが設けられている。センサ配設空間６５Ｓ内には圧力センサ６７が配設される。センサハウジング６５のー端面には円柱状の管部を構成する凸部６５ａが設けられている。
【００７７】
凸部６５ａの中央にはセンサ測定部配設孔を兼用する貫通孔である測定孔６５ｈ１が設けられている。測定孔６５ｈ１は、外部とセンサ配設空間６５Ｓとを結び、測定孔６５ｈ１の基端側孔内には圧力センサ６７の測定部６７ａが固設される。測定孔６５ｈ１は、第１の流路である。
【００７８】
ー方、センサハウジング６５の基端側面には貫通孔であるケーブル挿通孔６５ｈ２が設けられている。ケーブル挿通孔６５ｈ２は、外部とセンサ配設空間６５Ｓとを結び、ケーブル挿通孔６５ｈ２内には信号ケーブル６１が挿通配置される。
【００７９】
ポート連結部６４は筒状部材であって、上述したポート連結部３９と同様にフランジ２３ｆに係合する係合部６４ａと、凸部６５ａに配設される摺動孔６４ｈと、が設けられている。
【００８０】
測定ロッド６３は、雄ルアーコネクタであって、軸方向貫通孔６３ｈが設けられた剛性部材であって、雄ルアー部６８及び突状部材６９を設けて構成されている。  
軸方向貫通孔６３ｈは、腹腔な圧力を測定するための測定孔であり、第２の流路である。  
雄ルアー部６８は、先細テーパー形状の外壁面を有するテーパー部６８ｔを有する。テーパー部６８ｔは、基端から先端に向かって外径が連続的に細径になるように形成され、圧力検出装置接続ポート２０Ｄを構成する圧力検出装置連結部２３Ｄの雌ルアー部２３ｒに設けられたテーパー孔２３ｈの内壁面に気密に当接可能に形作られている。
【００８１】
突状部材６９は、テーパー部６８ｔの先端面から前方に突出したストレート形状の管部である。突状部材６９の外径は、回転切替部２２に設けられた回転コック２５の貫通孔２５ｈの内径より予め小径に設定されている。また、突状部材６９の長さは、回転コック２５の貫通孔２５ｈ内に配置されるようにテーパー部６８ｔの先端面から延伸されている。
【００８２】
本実施形態において、測定ロッド６３の基端面である雄ルアー部６８側基端面は、凸部６５ａの先端面に固定される。測定ロッド６３の基端面が凸部６５ａの先端面に固定された状態において、軸方向貫通孔６３ｈと測定孔６５ｈ１とは連通している。
【００８３】
圧力検出装置６０を圧力検出装置接続ポート２０Ｄに接続するにあたって、まず、作業者は、回転切替部２２のコックレバー２６を回転操作して測定孔２１ｄを開通状態にする。
【００８４】
次に、作業者は、圧力検出装置接続部６２の突状部材６９の先端部を雌ルアー部２３ｒに設けられたテーパー孔２３ｈの開口に対して位置合わせする。その後、作業者は、突状部材６９の先端部を、テーパー孔２３ｈを介して回転コック２５の貫通孔２５ｈに向けて挿入していく。
【００８５】
すると、ポート連結部６４に設けられた係合部６４ａの先端面が圧力検出装置連結部２３Ｄのフランジ２３ｆの基端面に当接する。
【００８６】
ここで、作業者は、ポート連結部６４を予め定められた方向に回転させていく。すると、ポート連結部６４の回転に伴って、突状部材６９の先端部が貫通孔２５ｈ内に侵入すると共に、テーパー部６８ｔがテーパー孔２３ｈ内に侵入していく。そして、ポート連結部６４が固定状態になることによって、圧力検出装置接続部６２が圧力検出装置接続ポート２０Ｄに接続された状態になる。このとき、突状部材６９が貫通孔２５ｈ内に配置され、テーパー部３４ｔがテーパー孔２３ｈの内壁面に気密に当接している。
【００８７】
このように、開通状態において、流路接続装置３０の雄ルアーコネクタ３２に設けられた突状部材３５が排煙用ポート２０に回転自在に配置されている回転コック２５の貫通孔２５ｈ内に配置される。したがって、排煙中において、医師或いは看護士等が誤ってコックレバー２６に触れた場合に突状部材６９から抑止力が発生して回転コック２５が回転されることを防止して測定孔２１ｄの開通状態を保持することができる。この結果、開通状態の測定孔２１ｄが外的要因によって閉塞状態に変更されることなく、腹腔内の圧力測定が安定して継続される。
【００８８】
ところで、図１２に示す経肛門的内視鏡下手術装置１Ｂは、気腹装置３Ｂと、経肛門的ポート１０Ｂと、によって主に構成される。経肛門的ポート１０Ｂは、患者５０の肛門に装着される。
【００８９】
経肛門的ポート１０Ｂにおいて、ポート本体１１の本体表面１３からは、内視鏡用ポート１４、例えば２つの処置具用ポート１５、１６が突出して設けられている。ー方、ポート本体１１の本体側面からは送気用ポート１８、圧力検出用ポート１９が突出して設けられている。
【００９０】
内視鏡用ポート１４には内視鏡の挿入部が導入される。第１処置具用ポート１５には図１４に記載の電気メス７０が導入される。第２処置具用ポート１６には把持鉗子等が導入される。送気用ポート１８には送気チューブ４のー端部が接続される。圧力検出用ポート１９には圧力検出チューブ５のー端部が接続される。また、送気用ポート１８、圧力検出用ポート１９には第１実施形態１と同様にコックレバー２６、回転コック２５が設けられ、開通状態と閉塞状態とを選択的に得られ構成になっている。
【００９１】
そして、図１３に示すように気腹装置３Ｂの内部には開閉弁３ａと、減圧弁３ｂと、圧力センサ３ｓと、制御部３ｄ等とが設けられている。減圧弁３ｂには高圧送気ガス用チューブのー端部が連結され、他端部はガスボンベ３Ｇに連結されている。  
そして、送気コネクタ３Ｆには送気チューブ４が接続され、圧力検出チューブ用コネクタ３Ｈには圧力検出チューブ５が接続される。圧力検出チューブの先端には第１実施形態における図４に記載のコネクタが接続されている。
【００９２】
本実施形態において、ガスボンベ３Ｇ内に充填されている液状の二酸化炭素は、気化されて減圧弁３ｂを通過して予め定めた圧力に減圧され、送気チューブ４、送気用ポート１８を通って患者５０の腸内に送り込まれる。
【００９３】
腸内の圧力は、圧力検出チューブ５を通して圧力センサ３ｓによって測定される。圧力センサ３ｓの測定値は、制御部３ｄに出力される。そして、腸内に送り込まれる二酸化炭素送気ガスの流量は、腸内圧力を監視しつつ開閉弁３ａに電気的に接続された制御部３ｄによって制御される。
【００９４】
腫瘍等を切除する際、第１処置具用ポート１５を介して図１４に示す電気メス７０の挿入部７１が挿入される。  
なお、電気メス７０には、挿入部７１、把持部７２、電極７３、ケーブル接続ピン７４、吸引口７５ａ、及び排煙用ポート７５が設けられている。吸引口７５ａと排煙用ポート７５は、処置具内部に設けられた排煙管路７５ｂを介して繋がっている。ケーブル接続ピン７４には高周波電気ケーブル（不図示）が接続され、排煙用ポート７５には第１実施形態と同様、コックレバー２６、回転コック２５が設けられ、開通状態と閉塞状態とを選択的に得られる構成になっている。また、排煙用ポート７５にはフィルターを備えた排煙用チューブ（不図示）が接続される。排煙用チューブの構成は、第１実施形態と同様である。
【００９５】
電気メス７０による手技中、組織の変性が進むと同時に発生する煙を排煙するため持続還流法によるガスの供給と腔内のガスの放出を行う。このとき、制御部３ｄは、例えば、ガス放出側管路が閉塞されたとき、圧力センサ３ｓの検出値から腔内圧力が上昇したことを検知すると、ガスの供給を停止して腔内が過圧されることを防止する。
【００９６】
しかしながら、開閉弁３ａを閉じてガスの供給を停止した瞬間、送気チューブ４内には高圧なガスが存在し、開閉弁３ａ側の圧力が高くなる。このため、送気チューブ４内に存在するガスが、僅かな時間、腔内に向かって流れ込む。このとき、腔内の容積が非常に小さな場合、僅かに流れ込むガスによって過圧されるおそれがある。
【００９７】
このため、容積が非常に小さな腔に対して持続還流法によるガスの供給と腔内のガスの放出を行いつつ例えば電気メス７０による処置等を行う場合、以下に示す送気チューブを使用する。
【００９８】
図１５を参照して送気チューブの構成例を説明する。  
図１５に示す送気チューブ４Ａは、チューブ本体８１と、分岐チューブ８２と、貯留パック８３と、設けて構成されている。  
符号４ｆは、ポート用接続部であって、チューブ本体８１のー端部に設けられている。ポート用接続部４ｆは、送気用ポート１８に着脱自在に接続される。符号４ｒは、送気コネクタ用接続部であって、チューブ本体８１の他端部に設けられている。送気コネクタ用接続部４ｒは、送気コネクタ３Ｆに着脱自在に接続される。
【００９９】
分岐チューブ８２は、チューブ本体８１の中途部に設けられている。具体的に、分岐チューブ８２は、送気コネクタ用接続部４ｒからチューブ本体８１の全長に対して２／３以上離間した位置に配置されている。
【０１００】
なお、分岐チューブ８２がポート用接続部４ｆに近接していると、術者の作業の妨げになるおそれがあるため、分岐チューブ８２は、少なくともポート用接続部４ｆからチューブ本体８１の全長に対して１／１０以上離間した位置に配置されている。  
また、分岐チューブ８２の管路は、チューブ本体８１の管路に連通して設けられている。
【０１０１】
貯留パック８３は、予め定めた弾性力を有するバルーン形成部材である。貯留パック８３は、チューブ本体８１から延伸された分岐チューブ８２の端部開口端部に密閉状態で設けられている。
【０１０２】
この構成によれば、送気チューブ４Ａを介して腔内にガスを供給している状況下において、開閉弁３ａを閉じてガスの供給が停止された瞬間、送気チューブ４Ａ内に存在する高圧な余剰ガスのー部が、分岐チューブ８２を介して貯留パック８３内に流れ込む。この結果、腔内圧力が余剰ガスによって上昇することが緩和される。
【０１０３】
図１６を参照して送気チューブの他の構成例を説明する。  
図１６の（Ａ）に示す送気チューブ４Ｂは、チューブ本体８１Ｂと、貯留パック８３Ｂと、設けて構成されている。貯留パック８３Ｂは、チューブ本体８１Ｂの中途部に設けられている。
【０１０４】
具体的に、貯留パック８３Ｂの送気コネクタ側端は、送気コネクタ用接続部４ｒからチューブ本体８１Ｂの全長に対して２／３以上離間した位置に配置されている。貯留パック８３Ｂのポート側端は、少なくともポート用接続部４ｆからチューブ本体８１Ｂの全長に対して１／１０以上離間した位置に配置されている。
【０１０５】
図１６の（Ｂ）に示すようにチューブ本体８１Ｂの中途部には、管路内と外部とを結ぶ複数の貫通孔８１ｈ又は、複数の長孔（不図示）が設けられている。そして、貯留パック８３Ｂの両端部は、それぞれ貫通孔８３ｈを塞ぐこと無く、且つ、パック内に貫通孔８３ｈが配置されるようにチューブ本体８１Ｂの外周面に密閉状態で設けられている。  
なお、貯留パック８３Ｂも予め定めた弾性力を有するバルーン形成部材である。
【０１０６】
その他の構成は図１５に示した送気チューブ４Ａの構成と同様であり、同部材には同符号を付して説明を省略する。
【０１０７】
この構成によれば、送気チューブ４Ｂを介して腔内にガスを供給している状況下において、開閉弁３ａを閉じてガスの供給が停止された瞬間、送気チューブ４Ｂ内に存在する高圧な余剰ガスのー部が、貫通孔８３ｈを介して貯留パック８３Ｂ内に流れ込む。この結果、腔内圧力が余剰ガスによって上昇することが緩和される。
【０１０８】
図１７Ａを参照して送気チューブの別の構成例を説明する。  
図１７Ａに示す送気チューブ４Ｃは、外径は予め定めた寸法で形成され、管路８５の径寸法がポート用接続部４ｆ側と送気コネクタ用接続部４ｒ側とで異なっている。
【０１０９】
具体的に、管路８５は、ポート側管路８５ｆと、送気コネクタ側管路８５ｒと、中間管路８５ｍと、を設けている。送気コネクタ側管路８５ｒは、小径管路であり、ポート側管路８５ｆは、大径管路であり、中間管路８５ｍは、テーパー管路であり、送気コネクタ側からボート側に向かうにしたがって内径が連続的に大径に変化している。
【０１１０】
なお、送気コネクタ側管路８５ｒと中間管路８５ｍとの変換部８５ｃは、送気コネクタ用接続部４ｒから送気チューブ４Ｃの全長Ｌに対して２／３以上離間した位置に設けられている。また、大径管路の内径φｂは、小径管路の内径φｓの例えば５倍に設定してある。さらに、ポート側管路８５ｆを設けること無く、中間管路８５ｍの内径を変換部８５ｃからボート側開口に向けてテーパー管路にしてもよい。
【０１１１】
この構成によれば、送気チューブ４Ｃを介して腔内にガスを供給している状況下において、開閉弁３ａを閉じてガスの供給が停止された瞬間、送気チューブ４Ｃ内の送気コネクタ側管路８５ｒに存在する高圧な余剰ガスのー部が、中間管路８５ｍ及びポート側管路８５ｆに流れ込んで上流側と下流側との圧力差が解消されて、腔内圧力が余剰ガスによって上昇することが緩和される。
【０１１２】
なお、送気チューブ４Ｃを図１７Ｂに示すように構成してもよい。  
図１７Ｂに示す送気チューブ４Ｄは、ポート側太径チューブ８６と、送気コネクタ側細径チューブ８７と、中間チューブ８８と、第１連結管８９ａと、第２連結管８９ｂと、を有する。
【０１１３】
ポート側太径チューブ８６は、大径管路に対応する内径のポート側貫通孔８６ｈを有する。送気コネクタ側細径チューブ８７は、小径管路に対応する内径のコネクタ側貫通孔８７ｈを有する。中間チューブ８８は、テーパー管路に対応する貫通孔であるテーパー孔８８ｈを有する。
【０１１４】
第１連結管８９ａは、ポート側太径チューブ８６と中間チューブ８８とを連結して、ポート側貫通孔８６ｈとテーパー孔８８ｈとを連通させる。符号８９ａ１は、大径管路連結部であって、ポート側貫通孔８６ｈ内に固設される。符号８９ａ２は、大径側中間チューブ連結部であって、テーパー孔８８ｈの大径孔側に固設される。
【０１１５】
第２連結管８９ｂは、中間チューブ８８と送気コネクタ側細径チューブ８７とを連結して、テーパー孔８８ｈとコネクタ側貫通孔８７ｈとを連通させる。符号８９ｂ１は、小径側中間チューブ連結部であって、テーパー孔８８ｈの小径孔側に固設される。符号８９ｂ２は、小径管路連結部であって、コネクタ側貫通孔８７ｈ内に固設される。  
なお、送気コネクタ側細径チューブ８７の長さは、送気チューブ４Ｄの全長に対して２／３以上の長さに設定されている。
【０１１６】
そして、送気チューブ４Ｄは、ポート側太径チューブ８６と中間チューブ８８とを第１連結管８９ａによって連結し、且つ、中間チューブ８８と送気コネクタ側細径チューブ８７とを第２連結管８９ｂによって連結して構成される。この送気チューブ４Ｄによれば、送気チューブ４Ｃと同様の作用及び効果を得ることができる。
【０１１７】
尚、本発明は、以上述べた実施形態のみに限定されるものではなく、発明の要旨を逸脱しない範囲で種々変形実施可能である。
【符号の説明】
【０１１８】
１、   １Ｂ…経肛門的内視鏡下手術装置  １Ａ…腹腔鏡下外科手術装置  ２…内視鏡  
２ａ…挿入部  ３、３Ａ、３Ｂ…気腹装置  ３Ｅ…電気コネクタ  ３Ｆ…送気コネクタ
３Ｇ…ガスボンベ  ３Ｈ…圧力検出チューブ用コネクタ  ３ａ…開閉弁  ３ｂ…減圧弁
３ｃ…圧力測定部  ３ｄ…制御部  ３ｓ…圧力センサ  ４…送気チューブ  
４Ａ、４Ｂ、４Ｃ、４Ｄ…送気チューブ  ４ｆ…ポート用接続部  
４ｒ…送気コネクタ用接続部  ５…圧力検出チューブ  １０…経肛門的ポート
１０Ａ、１０Ｂ、１０Ｃ…経肛門的ポート  １０Ｄ…圧力測定ポート  １０Ｄａ…ボート本体
１０Ｄｈ…測定用細穴  １０Ｅ…送気ポート  １１…ポート本体  １２…肛門挿入部
１３…本体表面  １４…内視鏡用ポート  １４ｈ…内視鏡導入孔  １５…処置具用ポート
１５ｈ…処置具導入孔  １６…処置用ポート  １６ｈ…処置具導入孔  １７…本体側面
１８…送気用ポート  １９…圧力検出用ポート  ２０…排煙用ポート  
２０Ａ、２０Ｂ、２０Ｃ…排煙用ポート  ２０Ｄ…圧力検出装置接続ポート  ２１…排気孔
２１ｄ…測定孔  ２２…回転切替部  ２３…排気チューブ連結部  
２３Ｄ…圧力検出装置連結部  ２３ｆ…フランジ  ２３ｈ…テーパー孔  
２３ｒ…雌ルアー部  ２４…球状空間部  ２５…回転コック  ２５ｈ…貫通孔
２６…コックレバー  ３０、３０Ａ…流路接続装置  ３１…排煙用チューブ  
３１ｆ…フィルター  ３２…雄ルアーコネクタ  ３２ａ…管本体  ３２ｈ…軸方向貫通孔
３２ｈ１…第１の軸方向貫通孔  ３２ｈ２…第２の軸方向貫通孔  ３３…チューブ取付部
３３ｆ…フランジ  ３３ｔ…タケノコ形状部  ３４…雄ルアー部  ３４ｔ…テーパー部
３５、３５Ａ、３５Ｂ…突状部材  ３５ｐ…突出ピン  ３５ｓ…スプリング
３９…ポート連結部  ３９ａ…係合部  ３９ｈ…摺動孔  ４０…突出長調整部
４１…調整部本体  ４１Ｓ…箱内空間  ４２…移動型突状部材  ４２ａ…突状部材本体
４２ｂ…固定突起  ４２ｍ…雄ねじ部  ４３…ロックネジ  ４３ｒ…裏面  ４４…長孔
４５…スプリングワッシャ  ５０…患者  ６０…圧力検出装置  ６１…測定ケーブル
６１ａ、６１ｂ…信号線  ６２…圧力検出装置接続部  ６３…測定ロッド
６３ｈ…軸方向貫通孔  ６４…ポート連結部  ６４ａ…係合部  ６４ｈ…摺動孔
６５…センサハウジング  ６５Ｓ…センサ配設空間  ６５ａ…凸部  ６５ｈ１…測定孔
６５ｈ２…ケーブル挿通孔  ６６…折れ止め  ６７…圧力センサ  ６７ａ…測定部
６８…雄ルアー部  ６８ｔ…テーパー部  ６９…突状部材  ７０…電気メス
７１…挿入部  ７２…把持部  ７３…電極  ７４…ケーブル接続ピン  ７５…吸引口
８１、８１Ｂ…チューブ本体  ８１ｈ…貫通孔  ８２…分岐チューブ  
８３、８３Ｂ…貯留パック  ８３ｈ…貫通孔  ８５…管路  ８５ｃ…変換部
８５ｆ…ポート側管路  ８５ｍ…中間管路  ８５ｒ…送気コネクタ側管路
８６…ポート側太径チューブ  ８６ｈ…ポート側貫通孔  
８７…送気コネクタ側細径チューブ  ８７ｈ…コネクタ側貫通孔  ８８…中間チューブ
８８ｈ…テーパー孔  ８９ａ…第１連結管  ８９ａ１…大径管路連結部
８９ａ２…中間チューブ連結部  ８９ｂ…第２連結管  ８９ｂ１…中間チューブ連結部
８９ｂ２…小径管路連結部  
【図１】
2015136596.tif 000003
【図２】
2015136596.tif 000004
【図３】
2015136596.tif 000005
【図４】
2015136596.tif 000006
【図５】
2015136596.tif 000007
【図６Ａ】
2015136596.tif 000008
【図６Ｂ】
2015136596.tif 000009
【図６Ｃ】
2015136596.tif 000010
【図７】
2015136596.tif 000011
【図８】
2015136596.tif 000012
【図９】
2015136596.tif 000013
【図１０】
2015136596.tif 000014
【図１１】
2015136596.tif 000015
【図１２】
2015136596.tif 000016
【図１３】
2015136596.tif 000017
【図１４】
2015136596.tif 000018
【図１５】
2015136596.tif 000019
【図１６】
2015136596.tif 000020
【図１７Ａ】
2015136596.tif 000021
【図１７Ｂ】
2015136596.tif 000022